(57)【要約】【課題】落下防止幕をエレベータ乗場の所定位置に確実に設置することができるとともに、落下防止幕設置時の作業性を向上させることができるようにする。【解決手段】エレベータ用落下防止幕１１を支持する取付金４を、取付金４に形成された複数の貫通孔６ａ乃至６ｃを介してエレベータの乗場壁２の所定位置に取り付ける際に、乗場の床面１に立設状態に配置した取付金４の上端部に、据付治具５の一端部に設けられた連結部９を連結することにより、据付治具５に形成された案内孔１０ａ及び１０ｂを、取付金４を乗場壁２に取り付ける際の何れかの貫通孔６ａ乃至６ｃの高さに対応して配置する。そして、上記配置の案内孔１０ａ及び１０ｂをガイドとして、乗場壁２にアンカーボルト取付用の取付孔を形成する。【選択図】図１
2008019047.tif 000002
【特許請求の範囲】
【請求項１】
エレベータ用落下防止幕を支持する取付金を、前記取付金に形成された複数の貫通孔を介してエレベータの乗場壁の所定位置に取り付けるための取付装置であって、
一端部に設けられ、立設状態に配置された前記取付金の上端部に連結される連結部と、
前記連結部よりも他端部側に設けられ、前記乗場の床面に立設状態に配置された前記取付金の上端部に前記連結部が連結されることにより、前記取付金の上方で上下に配置されるとともに、それぞれが、前記取付金を前記乗場壁に取り付ける際の何れかの前記貫通孔の高さに対応して配置される複数の案内孔と、
を有する据付治具を備えたことを特徴とするエレベータ用落下防止幕の取付装置。
【請求項２】
複数の貫通孔が形成され、エレベータ用落下防止幕を支持するために、前記貫通孔を介してエレベータの乗場壁の所定位置に取り付けられる取付金と、
一端部に設けられ、立設状態に配置された前記取付金の上端部に連結される連結部、及び、
前記連結部よりも他端部側に設けられ、前記乗場の床面に立設状態に配置された前記取付金の上端部に前記連結部が連結されることにより、前記取付金の上方で上下に配置されるとともに、それぞれが、前記取付金を前記乗場壁に取り付ける際の何れかの前記貫通孔の高さに対応して配置される複数の案内孔
を有する据付治具と、
を備えたことを特徴とするエレベータ用落下防止幕の取付装置。
【請求項３】
エレベータ用落下防止幕を支持する取付金を、前記取付金に形成された複数の貫通孔を介してエレベータの乗場壁の所定位置に取り付ける取付方法であって、
据付治具の一端部に設けられた連結部を、立設状態に配置された前記取付金の上端部に連結させて、前記据付治具に形成された複数の案内孔を前記取付金の上方で上下に配置するステップと、
前記取付金の上端部に連結された前記据付治具の前記各案内孔を利用して、前記乗場壁の前記各案内孔に対応する高さに、前記取付金を取り付けるための複数の取付孔を形成するステップと、
前記据付治具の連結部を前記取付金から外した後、前記複数の取付孔を利用して、前記取付金を前記乗場壁に取り付けるステップと、
を備えたことを特徴とするエレベータ用落下防止幕の取付方法。
【発明の詳細な説明】
【技術分野】
【０００１】
この発明は、エレベータ用落下防止幕を支持する取付金を乗場壁の所定位置に取り付けるための取付装置及び取付方法に関するものである。
【背景技術】
【０００２】
エレベータ乗場には、乗場と昇降路とを隔てる乗場壁に、乗降用の乗場出入口が形成されている。この乗場出入口は、一般に、乗場壁に形成された開口部に乗場三方枠が立設された後、乗場三方枠と乗場壁との隙間にモルタル等が充填されることにより、所定の位置及び大きさに形成される。そして、乗場にエレベータのかごが停止していない場合の利用者の安全は、上記乗場出入口が乗場ドアによって閉鎖されることにより、十分に確保されている。
【０００３】
しかし、乗場ドアや乗場三方枠が設置されていないエレベータの据付時等には、上記乗場壁に形成された開口部を塞ぐことができない。そこで、エレベータ据付時等には、通常、作業者等が上記開口部から昇降路内に落下することを防止するため、上記開口部の全部又は一部を塞ぐ落下防止幕が乗場に設置される。
【０００４】
従来では、エレベータ据付時等に上記落下防止幕を乗場に設置する際には、先ず、上記開口部に近接した乗場壁の乗場側壁面に、アンカーボルトを打ち込むための取付孔の位置をマーキングし、そのマーキング位置に合わせて上記取付孔をドリル等で加工していた。そして、乗場壁に形成された上記取付孔にアンカーボルトを打ち込んだ後、上記アンカーボルトに落下防止幕を支持する取付金を固定し、この取付金を利用して落下防止幕を所定の位置（高さ）に配置していた（例えば、特許文献１参照）。
【０００５】
【特許文献１】実開昭５９−１７７６５０号公報（図１、図２）
【発明の開示】
【発明が解決しようとする課題】
【０００６】
エレベータの乗場壁に形成された開口部を塞ぐ落下防止幕は、作業者等が昇降路内へ落下することを防止するため、乗場の所定の位置（高さ）に確実に配置する必要がある。しかし、従来では、落下防止幕の設置位置（アンカーボルト取付用の取付孔の位置）を、落下防止幕設置の度に巻尺等によって計測して、マーキング作業を実施しなければならず、その作業性が著しく悪いといった問題があった。また、落下防止幕を乗場に設置する度に巻尺等による計測やマーキング作業が必要となるのでは、計測ミスや罫書きミス等の作業ミスが発生し易いといった問題も生じていた。
【０００７】
この発明は、上述のような課題を解決するためになされたもので、その目的は、落下防止幕をエレベータ乗場の所定位置に確実に設置することができるとともに、設置時の作業性を向上させることができるエレベータ用落下防止幕の取付装置及び取付方法を提供することである。
【課題を解決するための手段】
【０００８】
この発明に係るエレベータ用落下防止幕の取付装置は、エレベータ用落下防止幕を支持する取付金を、取付金に形成された複数の貫通孔を介してエレベータの乗場壁の所定位置に取り付けるための取付装置であって、一端部に設けられ、立設状態に配置された取付金の上端部に連結される連結部と、連結部よりも他端部側に設けられ、乗場の床面に立設状態に配置された取付金の上端部に連結部が連結されることにより、取付金の上方で上下に配置されるとともに、それぞれが、取付金を乗場壁に取り付ける際の何れかの貫通孔の高さに対応して配置される複数の案内孔と、を有する据付治具を備えたものである。
【０００９】
また、この発明に係るエレベータ用落下防止幕の取付方法は、エレベータ用落下防止幕を支持する取付金を、取付金に形成された複数の貫通孔を介してエレベータの乗場壁の所定位置に取り付ける取付方法であって、据付治具の一端部に設けられた連結部を、立設状態に配置された取付金の上端部に連結させて、据付治具に形成された複数の案内孔を取付金の上方で上下に配置するステップと、取付金の上端部に連結された据付治具の各案内孔を利用して、乗場壁の各案内孔に対応する高さに、取付金を取り付けるための複数の取付孔を形成するステップと、据付治具の連結部を取付金から外した後、複数の取付孔を利用して、取付金を乗場壁に取り付けるステップと、を備えたものである。
【発明の効果】
【００１０】
この発明によれば、落下防止幕をエレベータ乗場の所定位置に確実に設置することができるとともに、設置時の作業性を向上させることができる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はエレベータ用落下防止幕の取付作業を示す斜視図、図２はエレベータ用落下防止幕の取付作業を示す正面図、図３はエレベータ用落下防止幕の取付作業を示す側面図、図４は図１におけるＡ部詳細図である。なお、図１乃至図４はこの発明の実施の形態１におけるエレベータ用落下防止幕の取付装置を使用してエレベータ乗場に落下防止幕を取り付ける際の途中の状態を示している。図５はこの発明の実施の形態１におけるエレベータ用落下防止幕の取付装置を示す斜視図である。
【００１３】
図１乃至図５において、１はエレベータ乗場の床面、２は乗場の床面１から立設され、エレベータ乗場と昇降路とを隔てる乗場壁、３は乗場壁２に形成された、昇降路に通じる開口部である。なお、上記乗場壁２に形成された開口部３の内側に乗場三方枠（図示せず）が立設された後、この乗場三方枠と上記開口部３の縁部を形成する乗場壁２との隙間にモルタル等が充填されることにより、所定の位置及び大きさに乗場出入口が形成される。４は後述する落下防止幕取付金、５は乗場壁２の乗場側壁面の所定位置及び所定高さに、上記落下防止幕取付金４を取り付ける際に使用されるアングルピース設定具（据付治具）である。
【００１４】
上記落下防止幕取付金４は、エレベータ据付時等に上記開口部３の全部又は一部を塞いで作業者等の昇降路内への落下を防止する落下防止幕を、確実に支持するためのものであり、開口部３両側となる乗場壁２の乗場側壁面に、落下防止幕の支持位置に合わせた所定位置及び所定高さに固定される。この落下防止幕取付金４は、例えば、横断面が略Ｌ字状の所定の長さを有する棒状を呈しており、乗場壁２への設置時に乗場壁２に対向する短辺部６と、乗場壁２への設置時に乗場壁２から乗場側に突出する長辺部７とから構成される。
【００１５】
落下防止幕取付金４の短辺部６には、その上部、中間部、下部に、落下防止幕取付金４を乗場壁２の乗場側側面に取り付けるための複数の貫通孔６ａ乃至６ｃが形成されている。なお、貫通孔６ａ乃至６ｃは上下方向に長手を有する長穴からなり、落下防止幕取付金４を乗場壁２へ設置する際に、乗場壁２の乗場側壁面から乗場側に向かって突設されたアンカーボルト（図示せず）の先端部が挿通される。また、落下防止幕取付金４の長辺部７には、その上部及び下部に、落下防止幕を支持するための支持孔８ａ及び８ｂが形成されている。この支持孔８ａ及び８ｂは、例えば、その一部が乗場側に開口する長孔からなり、落下防止幕を支持する支持ポール等が乗場側から引掛けられるように形成されている。また、支持孔８ａ及び８ｂの配置や大きさは、落下防止幕を落下防止幕取付金４に支持するための支持手段（例えば、落下防止幕が設けられた支持ポール等）に対応して形成されている。
【００１６】
上記アングルピース設定具５（据付治具）は、例えば、所定の長さを有する板状を呈しており、上記板状部材の一端部に設けられた連結部９と、上記板状部材の連結部９よりも他端部側に、所定の間隔を有して設けられた複数の案内孔（実施の形態１においては２つの案内孔１０ａ及び１０ｂ）とを備えている。このアングルピース設定具５は、連結部９が、立設状態に配置された落下防止幕取付金４の上端部に連結されることにより、連結部９よりも他端部側が、落下防止幕取付金４の短辺部６と一続きになるように、落下防止幕取付金４の上方に突設される。なお、上記連結部９は、例えば、落下防止幕取付金４の上端及び貫通孔６ａに上方から係合する爪部９ａ乃至９ｃからなり、落下防止幕取付金４の上端部に着脱自在に構成される。
【００１７】
また、アングルピース設定具５に形成された案内孔１０ａ及び１０ｂは、乗場の床面１に立設状態に配置された落下防止幕取付金４の上端部にアングルピース設定具５の連結部９が連結されることにより、落下防止幕取付金４の上方で上下に配置されるとともに、各案内孔１０ａ及び１０ｂが、落下防止幕取付金４を乗場壁２に取り付ける際の上２つの貫通孔６ａ及び６ｂの高さに対応して配置される。即ち、図１において、Ｈ１は落下防止幕取付金４を乗場壁２に固定する際の貫通孔６ｂの高さに対応し、（Ｈ１＋Ｈ２）は落下防止幕取付金４を乗場壁２に固定する際の貫通孔６ａの高さに対応する。なお、Ｈ２は貫通孔６ａ及び６ｂ間距離に対応する。
【００１８】
次に、上記構成を有するアングルピース設定具５（据付治具）を使用して、落下防止幕を取り付ける手順について説明する。即ち、落下防止幕を支持する落下防止幕取付金４を、落下防止幕取付金４に形成された複数の貫通孔６ａ乃至６ｃを介して乗場壁２の所定位置及び所定高さに取り付ける手順について説明する。
【００１９】
エレベータの作業者は、先ず、落下防止幕を取り付ける乗場において、落下防止幕取付金４を立設状態に配置する。次に、図１乃至図４に示すように、アングルピース設定具５の連結部９を、立設状態に配置された落下防止幕取付金４の上端部に上方から連結させることにより、アングルピース設定具５を落下防止幕取付金４の短辺部６から上方に突設させる。なお、アングルピース設定具５を落下防止幕取付金４に上記の通り連結することにより、案内孔１０ａ及び１０ｂは、落下防止幕取付金４の上方で上下に配置される。そして、連結された落下防止幕取付金４及びアングルピース設定具５を、アングルピース設定具５の一側面が開口部３の一側となる乗場壁２の乗場側側面に接触するように乗場の床面１に立設させて、所定位置に仮設する。
【００２０】
なお、アングルピース設定具５は、落下防止幕取付金４の上端部に連結された状態で上記位置に配置されることにより、案内孔１０ａ及び１０ｂが、落下防止幕取付金４を乗場壁２に取り付ける際の貫通孔６ａ及び６ｂの高さに対応して配置される。そこで、作業者は、案内孔１０ａ及び１０ｂをガイドとして乗場壁２にドリル等で孔をあけることにより、乗場壁２の乗場側側面の所定位置（高さ）にアンカーボルト取付用の取付孔（図示せず）を形成する。そして、アングルピース設定具５の連結部９を落下防止幕取付金４から外した後、乗場壁２に形成された２つの取付孔にアンカーボルトを打ち込み、このアンカーボルトを利用して落下防止幕取付金４を乗場壁２に仮止めする。なお、図６はエレベータ用落下防止幕の取付作業の他の状態を示す斜視図であり、上記手順により、落下防止幕取付金４を乗場壁２に仮止めした状態を示したものである。
【００２１】
落下防止幕取付金４には３つの貫通孔６ａ乃至６ｃが形成されている。したがって、貫通孔６ａ及び６ｂに挿通されたアンカーボルトにナット等を螺嵌させて落下防止幕取付金４を乗場壁２に仮止めした後、作業者は、貫通孔６ｃをガイドとして乗場壁２に孔をあけることにより、アンカーボルト取付用の取付孔（図示せず）を更に１つ形成する。そして、この取付孔にアンカーボルトを打ち込んだ後、各貫通孔６ａ乃至６ｃと各アンカーボルトとを利用して落下防止幕取付金４を乗場壁２に完全に固定する。
【００２２】
作業者は、上記手順と同様の手順により、アングルピース設定具５を使用して、開口部３の他側となる乗場壁２の乗場側側面にも落下防止幕取付金４を固定する。なお、図７はエレベータ用落下防止幕の取付作業の他の状態を示す斜視図であり、上記手順により開口部３の両側の所定位置に落下防止幕取付金４を取り付けた後、落下防止幕１１を乗場に設置する状態を示したものである。
【００２３】
この発明の実施の形態１によれば、アングルピース設定具５を落下防止幕取付金４の上端部に連結することにより、アングルピース設定具５に形成された案内孔１０ａ及び１０ｂが、落下防止幕取付金４を乗場壁２に取り付ける際の貫通孔６ａ及び６ｂの高さに配置される。したがって、案内孔１０ａ及び１０ｂをガイドとして乗場壁２にドリル等で取付孔を容易に形成することができ、作業性を大幅に向上させることができる。また、取付孔の形成に巻尺による計測やマーキング作業が不要となるため、従来のような作業ミスが発生する恐れもなく、乗場壁２の所定位置に確実に取付孔を形成することが可能となる。
【００２４】
なお、取付孔の開口部３間口方向のずれは、落下防止幕１１を支持する支持ポールが十分な長さを有しているため、特に問題となることはない。
【００２５】
また、実施の形態１においては、乗場の床面１に立設状態に配置された落下防止幕取付金４の上端部に、アングルピース設定具５の連結部９を連結させることにより、案内孔１０ａ及び１０ｂが落下防止幕取付金４に形成された上２つの貫通孔６ａ及び６ｂの高さに対応して配置される構成としたが、アングルピース設定具５の連結時に、アングルピース設定具５に形成された各貫通孔が、落下防止幕取付金４に形成された何れかの貫通孔の高さに対応して配置されていれば、上記と同様の効果を奏することは言うまでもない。但し、実施の形態１のように構成することにより、アングルピース設定具５の長さを短縮させることができ、アングルピース設定具５の持ち運びや保管が容易となる。
【図面の簡単な説明】
【００２６】
【図１】エレベータ用落下防止幕の取付作業を示す斜視図である。
【図２】エレベータ用落下防止幕の取付作業を示す正面図である。
【図３】エレベータ用落下防止幕の取付作業を示す側面図である。
【図４】図１におけるＡ部詳細図である。
【図５】この発明の実施の形態１におけるエレベータ用落下防止幕の取付装置を示す斜視図である。
【図６】エレベータ用落下防止幕の取付作業の他の状態を示す斜視図である。
【図７】エレベータ用落下防止幕の取付作業の他の状態を示す斜視図である。
【符号の説明】
【００２７】
１  床面
２  乗場壁
３  開口部
４  落下防止幕取付金
５  アングルピース設定具
６  短辺部
６ａ、６ｂ、６ｃ  貫通孔
７  長辺部
８ａ、８ｂ  支持孔
９  連結部
９ａ、９ｂ、９ｃ  爪部
１０ａ、１０ｂ  案内孔
１１  落下防止幕
【図１】
2008019047.tif 000003
【図２】
2008019047.tif 000004
【図３】
2008019047.tif 000005
【図４】
2008019047.tif 000006
【図５】
2008019047.tif 000007
【図６】
2008019047.tif 000008
【図７】
2008019047.tif 000009